(57)【要約】【課題】椅子がステーションから外れて走行するとき、椅子の安全棒が要求に応じて閉止位置にロックされるかどうかを確認するためにチェックされる装置を備え得る椅子の安全棒のロック監視装置を提供することにある。【解決手段】装置は空中ケーブルシステムの椅子の安全棒のロックを監視する。第１センサ５は椅子の占有を判断しかつ第２センサ６は安全棒のロックを判断する。これら２つのセンサからのセンサ出力信号は、リフトシステムをオフすることが可能にされる、制御装置８に導かれる。【選択図】　　　　　　図１
2004034970.tif 000002
【特許請求の範囲】
【請求項１】
空中ケーブルシステムにおける椅子の安全棒のロックを監視する椅子の安全棒のロック監視装置において、付与された椅子が占有されるかどうかを判断するために配置されかつ対応する第１のセンサ信号を出力する第１センサと、
前記付与された椅子の安全棒がロックされるかどうかを判断するために配置されかつ対応する第２センサ信号を出力する第２センサと、
前記第１および第２信号を受信するために配置されかつ対応する制御信号を出力するための制御装置と、
を含むことを特徴とする椅子の安全棒のロック監視装置。
【請求項２】
前記制御装置が前記空中ケーブルシステムを一時的に停止させる制御信号を出力するように構成されることを特徴とする請求項１に記載の椅子の安全棒のロック監視装置。
【請求項３】
前記第１センサが固定位置に配置されかつ前記空中ケーブルシステムの椅子が前記第１センサを通って走行するとき応答することを特徴とする請求項１に記載の椅子の安全棒のロック監視装置。
【請求項４】
前記第２センサが前記椅子に配置された送信機および前記送信機からの信号を受信しかつ前記第２センサ信号を前記制御装置に出力するように構成された固定の受信機を含むことを特徴とする請求項１に記載の椅子の安全棒のロック監視装置。
【発明の詳細な説明】
【０００１】
【発明の属する技術分野】
本発明は、空中ケーブルおよびリフトシステムの分野に存する。とくに、本発明はリフトシステムにおける椅子用の安全棒のロックを監視する椅子の安全棒のロック監視装置に関するものである。
【０００２】
【従来の技術】
それぞれの安全棒をロックするための装置を備えた空中ケーブルシステムの椅子を構成することは知られている。
【０００３】
【発明が解決しようとする課題】
この型のロック装置は、その結果として椅子に座っている人間が落ちるかもしれない、山側ステーションまたは谷側ステーションへの行程中開放されている安全棒の可能性を妨げることができるために必要とされる。この危険は、とくに、子供の場合において存在する。
【０００４】
したがって、本発明の目的は、この一般的な方のこれまで知られている装置および方法の上述した欠点を克服しかつ椅子がステーションから外れて走行するとき、椅子の安全棒が要求に応じて閉止位置にロックされるかどうかを確認するためにチェックされる装置を備える監視装置を提供することにある。安全棒が適切にロックされないならば、ケーブル鉄道システムは停止されることができる。
【０００５】
【課題を解決するための手段】
前記および他の目的に鑑みて、本発明によれば、付与された椅子が占有されるかどうかを判断するために配置されかつ対応する第１のセンサ信号を出力する第１センサ；
前記付与された椅子の安全棒がロックされるかどうかを判断するために配置されかつ対応する第２センサ信号を出力する第２センサ；および
前記第１および第２信号を受信するために配置されかつ対応する制御信号（例えば、安全棒がその安全な位置にロックされ得るまで、システムを一時的に停止させるために）を出力するための制御装置を含む空中ケーブルシステムにおける椅子の安全棒のロックを監視する椅子の安全棒のロック監視装置が設けられる。
【０００６】
言い換えれば、前記目的は、椅子の占有がそれによって判断され得る設けられている第１センサ、および安全棒のロックがそれによって判断され得る設けられている第２センサによって達成され、２つのセンサからの出力信号が、ケーブル鉄道システムがそれによってオフされ得る制御装置に導かれている。
【０００７】
第１センサは、好ましくは、固定位置に配置され、前記椅子が前記第１センサを通って走行するとき応答する。さらに、第２センサは、好ましくは、前記椅子に配置され、そして固定の受信機に割り当てられかつ椅子に配置される送信機がこのセンサに接続される。
【０００８】
本発明の特徴として見なされる他の特徴は添付の特許請求の範囲に記載されている。
【０００９】
本発明は空中ケーブルシステム（また空中鉄道システム、ロープウエイシステム等として言及される）の椅子の安全棒のロックを監視するための装置において具体化されるように本書で例示かつ記載されるけれども、本発明は、それにも拘わらず、種々の変更および構造的変化がそれに本発明の精神から逸脱することなくかつ特許請求の範囲の同等物の範囲内でなされ得るので、示された詳細に限定されるようには意図されない。
【００１０】
本発明の構成および運転方法は、しかしながら、その追加の目的および利点とともに、添付図面に関連して読まれるとき、特別な実施の形態の以下の説明から最良に理解される。
【００１１】
【発明の実施の形態】
図面の単一の図を詳細に参照すると、そこに例示された空中鉄道システムは、谷側ステーションにおいて、偏向プーリ２上に案内される負荷支持および搬送ケーブル１を有している。偏向プーリ２から或る距離には、負荷支持ローラ３１が配置される支持体３が設けられる。負荷支持および搬送ケーブル１はローラ３に沿って案内される。多数の人間用の椅子４が互いに付与された空間的間隔で負荷支持および搬送ケーブル１に結合される。
【００１２】
入口点に続いて、走行方向Ａには、関連の椅子４が少なくとも１人の人間によって占有されているかどうかを判断する第１センサ５が設けられる。少なくとも１人の人間によって占有されているならば、その安全棒が閉止位置に枢動されかつこの位置にロックされねばならない要求が引き起こされる。さらに、椅子４は第２センサ６を備え、それによって安全棒がその閉止位置に閉じられかつロックされると直ぐに、信号が送信機を介して固定受信機７に出力される。第１センサ５および受信機７からの出力信号は制御装置８に印加される。
【００１３】
関連の椅子４の占有が第１センサ５によって判断されかつ、安全棒のロックが第２センサ６によって送信機を介して受信機７に報告されるならば、制御信号は制御装置８によって出力されない。しかしながら、椅子が占有されかつ信号が、関連の椅子４の安全棒がロックされないために第１センサ６から受信機７に通るならば、ケーブル鉄道システムは制御装置８によって、または制御装置８かの適切な信号に応答してオフされ、その結果として関連の椅子４はさらに他の短い走行後停止する。
【００１４】
この位置は椅子４’によって示される。いったん安全棒がロックされると、ケーブル鉄道システムは再び始動されねばならない。
【００１５】
椅子４はまず人間によって占有されかつそのときのみ安全棒がそれらの閉止位置に枢動されかつ閉止位置にロックされるので、感知ローラが、入口点から関連の椅子の安全棒がそこですでにロックされねばならない場所までの関連の椅子４の距離測定を実施するのに使用される。加えて、安全棒が、システムが停止させられた後ロックされたとき、システムは再び始動されねばならないので、受信機７はまたシステムが停止された後椅子４’によって出力されるそれらの信号を受信できねばならない。
【００１６】
システムの作動に使用されるセンサは赤外線、超音波、レーザ、無線、誘導、ワイヤレス送信等を基礎にして作用することができる。重要な因子は、関連の椅子の占有が第１センサによって指示されかつ安全棒のロックが第２センサによって指示され、そしてこれに関する信号が、これらの信号がそれによって評価される、制御装置に導かれるということである。この場合に、センサは椅子自体に配置されるかまたはステーションの領域に固定され得る。
【００１７】
この型の装置は、それゆえ、ケーブル鉄道システムの占有された椅子の安全棒がステーション間の行程の間中常にロックされることを保証する。
【００１８】
【発明の効果】
叙上のごとく、本発明は、空中ケーブルシステムにおける椅子の安全棒のロックを監視する椅子の安全棒のロック監視装置において、付与された椅子が占有されるかどうかを判断するために配置されかつ対応する第１のセンサ信号を出力する第１センサ；前記付与された椅子の安全棒がロックされるかどうかを判断するために配置されかつ対応する第２センサ信号を出力する第２センサ；前記第１および第２信号を受信するために配置されかつ対応する制御信号を出力するための制御装置を含む構成としたので、椅子がステーションから外れて走行するとき、椅子の安全棒が要求に応じて閉止位置にロックされるかどうかを確認するためにチェックされる装置を備え得る椅子の安全棒のロック監視装置を提供することが可能である。
【図面の簡単な説明】
【図１】本発明による安全棒のロックを監視するための装置を有するリフトシステムの谷側ステーションを示す概略平面図である。
【符号の説明】
４　椅子
５　第１センサ
６　第２センサ
７　受信機
８　制御装置
【図１】
2004034970.tif 000003